(57)【要約】【課題】  操作部材の個数が少なく、１個の操作部材に割り当てる文字数が膨大になる場合にも、ユーザが希望文字を能率的に入力できるようにした文字入力装置５５を提供する。【解決手段】  操作態様判別手段５８は、文字入力操作部材５６に対してユーザが行なう２個以上の操作態様を判別する。設定手段５７は、所定分類内の全部の文字を網羅して順番に並べた第１の順番列と、第１の順番列において不連続の順番となっている文字を選抜した第２の順番列とを設定する。入力文字表示手段５９は、文字入力操作部材５６に対する第１の操作態様による操作では、１回の操作ごとに第１の順番列における文字をその順番に従い１個ずつ入力文字として表示し、文字入力操作部材５６に対する第２の操作態様による操作では、１回の操作ごとに第２の順番列における文字をその順番に従い１個ずつ入力文字として表示する。【選択図】      図６
2007080140.tif 000002
【特許請求の範囲】
【請求項１】
文字入力用操作部材、
前記文字入力用操作部材に対してユーザが行なう２個以上の操作態様を判別する操作態様判別手段、
所定分類内の全部の文字を網羅して順番に並べた第１の順番列と、第１の順番列において不連続の順番となっている文字を選抜した第２の順番列とを設定する設定手段、及び
前記文字入力用操作部材に対する第１の操作態様による操作では、１回の操作ごとに前記第１の順番列における文字をその順番に従い１個ずつ入力文字として表示し、前記文字入力用操作部材に対する第２の操作態様による操作では、１回の操作ごとに前記第２の順番列における文字をその順番に１個ずつ入力文字として表示する入力文字表示手段、
を有していることを特徴とする文字入力装置。
【請求項２】
第１及び第２の文字入力用操作部材、
前記第１及び第２の文字入力用操作部材のそれぞれに対してユーザが行なう２個以上の操作態様を判別する操作態様判別手段、
所定分類内の全部の文字を網羅して順番に並べた第１の順番列と、第１の順番列において不連続の順番となっている文字を選抜した第２の順番列とを設定する設定手段、及び
前記第１の文字入力用操作部材に対する第１の操作態様による操作では、１回の操作ごとに前記第１の順番列における文字をそれらの順方向への順番に従い１個ずつ入力文字として表示し、前記第１の文字入力用操作部材に対する第２の操作態様による操作では、１回の操作ごとに前記第２の順番列における文字をそれらの順方向への順番に従い１個ずつ入力文字として表示し、
前記第２の文字入力用操作部材に対する第１の操作態様による操作では、１回の操作ごとに前記第１の順番列における文字をそれらの逆方向の順番に従い１個ずつ入力文字として表示し、前記第１の文字入力用操作部材に対する第２の操作態様による操作では、１回の操作ごとに前記第２の順番列における文字をそれらの逆方向の順番に従い１個ずつ入力文字として表示する入力文字表示手段、
を有していることを特徴とする文字入力装置。
【請求項３】
前記第１及び前記第２の文字入力用操作部材は、入力文字を確定する確定用操作部材に対してそれぞれ対角線上に配設されていることを特徴とする請求項２記載の文字入力装置。
【請求項４】
前記所定分類は文字入力モードに対応する分類であり、ユーザが前記所定分類を切り替え操作する分類切替用操作部材、
を有していることを特徴とする請求項１〜３のいずれかに記載の文字入力装置。
【請求項５】
前記操作態様とは、浅押しと深押しとの操作態様、弱圧と強圧との操作態様、又は大きいタッチ面積と小さいタッチ面積との操作態様であることを特徴とする請求項１〜４のいずれかに記載の文字入力装置。
【請求項６】
前記第１の順番列において不連続の順番の文字とは、第１の順番列の少なくとも所定範囲では順番が所定数ずつ増加している文字であることを特徴とする請求項１〜５のいずれかに記載の文字入力装置。
【請求項７】
請求項１〜６のいずれかに記載の文字入力装置を装備する携帯型楽曲再生装置。
【請求項８】
文字入力用操作部材に対するユーザ操作の有無を判定するステップ、
文字入力用操作部材に対するユーザ操作が有る場合には操作態様が第１及び第２の操作態様のどちらであるかを判定するステップ、
操作態様が第１の操作態様と判定された場合には、現在の入力文字に対して前記第１の順番列において次の順番にある文字を入力文字として表示するステップ、及び
操作態様が第２の操作態様と判定された場合、現在の入力文字に対して前記第２の順番列において次の順番にある文字を入力文字として表示するステップ、
を有することを特徴とする文字入力方法。
【請求項９】
請求項８の文字入力方法における各ステップをコンピュータに実行させるためのプログラム。
【発明の詳細な説明】
【技術分野】
【０００１】
本発明は、文字入力作業を能率的に行えるようにした文字入力装置、携帯型楽曲再生装置、文字入力方法及びプログラムに関するものである。
【背景技術】
【０００２】
特許文献１は、ユーザが、携帯電話機において、操作キーを強押ししたときと弱押ししたときとの２個の操作態様を識別し、各操作態様に対して異なる処理を行うことを開示する。特許文献１の携帯電話機では、電話番号の数字入力に割り当てられている１０個の数字キー「１あ」〜「０わ」を文字入力にも利用し、例えば「１あ」キーを強押ししたときには、各押下ごとに、取得文字を「あ」→「い」→「う」→「え」→「お」→「ぁ」→「ぃ」→「ぅ」→「ぇ」→「ぉ」→「あ」→・・・と順方向へ切替え、弱押ししたときには、「あ」→「ぉ」→「ぇ」→「ぅ」→「ぃ」→「ぁ」→「お」→「え」→「う」→「い」→「あ」・・・と逆方向へ切替えていくことを開示する（特許文献１の段落００４７，００４８）。
【０００３】
特許文献２は、ユーザが操作キーを操作して文字入力する携帯電話機を開示する。該携帯電話機では、電話番号を入力する１０個の数字キーの各々に、五十音表の各列（あいうえおの列、かきくけこの列、・・・）を割り当て、文字入力期間では、数字キーの弱押しの対しては、列内の各文字を順番に特定するのに対し（段落００３０）、強押しに対しては、文字列の予測処理を行うようになっている（段落００３１）。
【０００４】
一方、ハードディスク内蔵型ポータブル音楽再生装置が公知になっている。該ハードディスク内蔵型ポータブル音楽再生装置では、ＭＰ３（MPEG1 Audio Layer-3）やＷＭＡ（Windows Media Audio）等の音楽ファイルを著作権管理上、暗号化してから、ハードディスクに記録し、ユーザは、例えばタクトスイッチを用いたプッシュ式キーの操作により、ハードディスクに記録された楽曲を適宜、選択して、聴取するようになっている。典型的なハードディスク内蔵型携帯式楽曲再生装置におけるプッシュ式キーは、中央と、その上下左右とに配置され、携帯電話における０〜９の数字キーに比して、個数が大幅に少なくなっている。
【特許文献１】特開２００２−１４１９７０号公報
【特許文献２】特開２００２−１４１９９６号公報
【発明の開示】
【発明が解決しようとする課題】
【０００５】
ハードディスク内蔵型携帯式楽曲再生装置では、プッシュ式キーの個数が非常に少ないので、１個のプッシュ式キーに割り当てなければならない文字の総数は、携帯電話の数字キーに比して大幅に増大する。
【０００６】
特許文献１，２は、操作キーに対する強押しと弱押しとの操作態様を識別し、各操作態様に文字入力係る処理を割り当てることを開示するものの、具体的に割り当てられた処理とは、取得文字の切替え方向を正順と逆順にしたり、通常入力に対して入力文字列を予測したりすることであった。
【０００７】
本発明の目的は、操作部材の個数が少なく、１個の操作部材に割り当てる文字数が膨大になる場合にも、ユーザが希望文字を能率的に入力できるようにした文字入力装置、携帯型楽曲再生装置、文字入力方法及びプログラムを提供することである。
【課題を解決するための手段】
【０００８】
本発明の文字入力装置は次の要素を具備している。
文字入力用操作部材、
文字入力用操作部材に対してユーザが行なう２個以上の操作態様を判別する操作態様判別手段、
所定分類内の全部の文字を網羅して順番に並べた第１の順番列と、第１の順番列において不連続の順番となっている文字を選抜した第２の順番列とを設定する設定手段、及び
文字入力用操作部材に対する第１の操作態様による操作では、１回の操作ごとに第１の順番列における文字をその順番に従い１個ずつ入力文字として表示し、文字入力用操作部材に対する第２の操作態様による操作では、１回の操作ごとに第２の順番列における文字をその順番に１個ずつ入力文字として表示する入力文字表示手段。
【０００９】
本発明の別の文字入力装置は次の要素を具備している。
第１及び第２の文字入力用操作部材、
第１及び第２の文字入力用操作部材のそれぞれに対してユーザが行なう２個以上の操作態様を判別する操作態様判別手段、
所定分類内の全部の文字を網羅して順番に並べた第１の順番列と、第１の順番列において不連続の順番となっている文字を選抜した第２の順番列とを設定する設定手段、及び
第１の文字入力用操作部材に対する第１の操作態様による操作では、１回の操作ごとに第１の順番列における文字をそれらの順方向への順番に従い１個ずつ入力文字として表示し、第１の文字入力用操作部材に対する第２の操作態様による操作では、１回の操作ごとに第２の順番列における文字をそれらの順方向への順番に従い１個ずつ入力文字として表示し、
第２の文字入力用操作部材に対する第１の操作態様による操作では、１回の操作ごとに第１の順番列における文字をそれらの逆方向の順番に従い１個ずつ入力文字として表示し、第１の文字入力用操作部材に対する第２の操作態様による操作では、１回の操作ごとに第２の順番列における文字をそれらの逆方向の順番に従い１個ずつ入力文字として表示する入力文字表示手段。
【００１０】
本発明の携帯型楽曲再生装置は、前述の文字入力装置を装備する。
【００１１】
本発明の文字入力方法は次のステップを有している。
文字入力用操作部材に対するユーザ操作の有無を判定するステップ、
文字入力用操作部材に対するユーザ操作が有る場合には操作態様が第１及び第２の操作態様のどちらであるかを判定するステップ、
操作態様が第１の操作態様と判定された場合には、現在の入力文字に対して第１の順番列において次の順番にある文字を入力文字として表示するステップ、及び
操作態様が第２の操作態様と判定された場合、現在の入力文字に対して第２の順番列において次の順番にある文字を入力文字として表示するステップ。
【００１２】
本発明の文字入力方法において、第１の順番列とは、所定分類内の全部の文字を網羅して順番に並べたものであり、第２の順番列とは、第１の順番列において不連続の順番となっている文字を選抜したものである。
【００１３】
本発明のプログラムは、前述の文字入力方法における各ステップをコンピュータに実行させる。
【発明の効果】
【００１４】
本発明によれば、文字入力用操作部材に対する第１及び第２の操作態様の操作により、入力文字を第１の順番列における１個ずつの順番で変更したり、第２の順番列における１個ずつの順番、すなわち第１の順番列では適当に飛ばした順番で変更するようにしている。したがって、１個の文字入力部材に割り当てられている総文字数が膨大である場合にも、能率的に所望の文字を入力することができる。
【発明を実施するための最良の形態】
【００１５】
図１はハードディスク内蔵型ポータブル音楽再生装置１０の前面図である。ハードディスク内蔵型ポータブル音楽再生装置１０は、前面において、カラーＬＣＤ１１と、プッシュ式キー配列部１２とを有している。プッシュ式キー配列部１２は、中央プッシュ式キー１４と、中央プッシュ式キー１４の上側に配備される上側プッシュ式キー１６と、中央プッシュ式キー１４の右側に配備されている右側プッシュ式キー１７と、中央プッシュ式キー１４の下側に配備されている下側プッシュ式キー１８と、中央プッシュ式キー１４の左側に配備されている左側プッシュ式キー１９と、上側プッシュ式キー１６とほぼ同じ高さで左側辺に寄せて配備されているモード選択用プッシュ式キー２１とを有している。ヘッドホン２４は、ユーザの左右の耳に装填される左右の装填部２５ａ，２５ｂと、一端側においてハードディスク内蔵型ポータブル音楽再生装置１０の本体の上部のジャックに挿抜自在に挿入され、他端側において分岐して装填部２５ａ，２５ｂに接続されるオーディオ信号線２６とを有している。
【００１６】
図２はハードディスク内蔵型ポータブル音楽再生装置１０の概略構成図である。ハードディスク内蔵型ポータブル音楽再生装置１０は、制御部３０、表示部３１、入力部３２、出力部３３及びハードディスク３４を有している。表示部３１はカラーＬＣＤ１１に対応し、入力部３２はプッシュ式キー配列部１２に対応し、出力部３３はヘッドホン２４に対応する。ハードディスク３４は、ハードディスク内蔵型ポータブル音楽再生装置１０に内蔵され、十分な記憶容量を備え、ＭＰ３やＷＭＡの楽曲ファイルを、著作権管理のために暗号化したフォーマットのファイルへ変換して、格納している。なお、本明細書で楽曲とは、単に、音楽だけでなく、語学学習、講習及び落語等のすべてのオーディオのオブジェクトを包含するものとする。
【００１７】
制御部３０は、入力部３２からユーザ指示を受付け、ユーザ指示に基づき表示部３１の表示やハードディスク３４のファイルデータの読出しを制御するとともに、ユーザ指示に対応する楽曲を出力部３３へ出力する。
【００１８】
図３は二重プッシュ式キー及びそのスイッチング状態判別回路の電気回路図である。二重プッシュ式キーとは、ユーザによる強押しと弱押しに対してそれぞれ深い押込み位置と浅い押込み位置とへ変位し、押込み力を解除すると、元の非押込み位置へ復帰するものである。図１の上側プッシュ式キー１６及び下側プッシュ式キー１８には二重プッシュ式キーが採用されている。このような二重プッシュ式キーとして、例えばアルプス電気（株）の製品番号ＳＫＲＮＰＡＥ０１０，ＳＫＲＮＰＢＥ０１０，ＳＫＲＮＰＣＥ０１０，ＳＫＲＮＰＤＥ０１０，ＳＫＲＮＰＥＥ０１０のものが市販されている。
【００１９】
二重プッシュ式キーはスイッチ３７，３８を有している。二重プッシュ式キーの押込み解除状態では、スイッチ３７，３８は共にオフである。二重プッシュ式キーの弱押し状態では、スイッチ３７，３８はそれぞれオン、オフとなる。二重プッシュ式キーの強押し状態では、スイッチ３７，３８は共にオンになる。
【００２０】
基準電圧端子４１は、ハードディスク内蔵型ポータブル音楽再生装置１０の電源投入中、＋の所定電圧を印加され、抵抗４２及び抵抗４３を介してアースへ接続される。抵抗４２と抵抗４３との接続点４４は制御部３０の入力端子へ接続される。制御部３０は接続点４４の電圧から二重プッシュ式キーの強押し状態、弱押し状態及び非押込み状態を判別する。接続点４４は、スイッチ３７及び抵抗４７を介してアースへ接続され、スイッチ３７と抵抗４７との接続点はスイッチ３８及び抵抗４８を介してアースへ接続される。
【００２１】
スイッチ３７，３８が共にオフになっているときは、すなわち二重プッシュ式キーが非押込み状態にあるときは、接続点４４の電圧は、抵抗４２と抵抗４３との抵抗比に基づき決まる。スイッチ３７，３８がそれぞれオン及びオフになっているときは、すなわち二重プッシュ式キーが弱押し状態にあるときは、接続点４４の電圧は、抵抗４２と、抵抗４３，４７の並列抵抗との抵抗比に基づき決まる。スイッチ３７，３８が共にオンになっているときは、すなわち二重プッシュ式キーが強押し状態にあるときは、接続点４４の電圧は、抵抗４２と、抵抗４３，４７，４８の並列抵抗との抵抗比に基づき決まる。
【００２２】
図４はハードディスク内蔵型ポータブル音楽再生装置１０における文字入力に適用される五十音表の一例である。図５はハードディスク内蔵型ポータブル音楽再生装置１０における文字入力に適用される半角英数表の一例である。図４の五十音表及び図５の半角英数表において、上の行から下の行へ順番に、かつ同一行内では、左端の文字から右端の文字の方へ順番に、文字の順番が定められる。すなわち、「あ」、「い」、「う」、「え」、「お」、「か」、「き」・・・はそれぞれ順番が１番、２番、３番、４番、５番、６番、７番・・・となる。「A」、「B」、「C」、「D」、「E」、「F」、「G」・・・はそれぞれ１番、２番、３番、４番、５番、６番、７番・・・となる。なお、図４及び図５において、”−”は文字が未割り当てであることを示している。
【００２３】
ユーザがモード選択用プッシュ式キー２１（図１）を押すごとに、入力モードは、”ひらがな”（図４の五十音表に対応）→”全角カタカナ”→”半角カタカナ”→”全角英数”→”半角英数”（図５の半角英数表に対応）→”ひらがな”→・・・と循環的に切り替わる。
【００２４】
ユーザが左側プッシュ式キー１９を押すごとに、入力モードに関係なく、カラーＬＣＤ１１における入力文字位置を示すカーソル位置が左へ１個ずつ移動する。
【００２５】
ユーザが右側プッシュ式キー１７を押すごとに、入力モードに関係なく、カラーＬＣＤ１１における入力文字位置を示すカーソル位置が右へ１個ずつ移動する。
【００２６】
ユーザが中央プッシュ式キー１４を押すごとに、入力モードに関係なく、カーソル位置にある文字が入力を確定され、カーソル位置は右へ１個移動する。
【００２７】
入力モードが”ひらがな”である場合の上側プッシュ式キー１６及び下側プッシュ式キー１８の操作に対応する処理について説明する。
【００２８】
ユーザが上側プッシュ式キー１６を弱押しするごとに、カラーＬＣＤ１１における入力文字位置を示すカーソル位置に「あ」→「い」→「う」→「え」→「お」→「か」→「き」・・・→「を」→「ん」→「あ」→「い」・・・と、図４の五十音表の順方向に入力文字が循環的に切り替わる。なお、上側プッシュ式キー１６の弱押及び後述の下側プッシュ式キー１８を弱押しにおいて、図４及び図５の”−”は飛ばされる。
【００２９】
ユーザが上側プッシュ式キー１６を強押しするごとに、カラーＬＣＤ１１における入力文字位置を示すカーソル位置に「あ」→「か」→「さ」→「た」→「な」→「は」→「ま」→「や」→「ら」→「わ」→「ん」→「あ」→・・・と、図４の五十音表のあ段を順方向に入力文字が循環的に切り替わる。なお、この切り替わりは、図４の五十音表の文字の未割り当ての箇所”−”も番数に数えて、５番ずつ変化した順番となっている。
【００３０】
ユーザが下側プッシュ式キー１８を弱押しするごとに、カラーＬＣＤ１１における入力文字位置を示すカーソル位置に「ん」→「を」→「わ」→「ろ」→「れ」→「る」→「り」・・・→「い」→「あ」→「ん」→「を」・・・と、図４の五十音表の逆方向に入力文字が循環的に切り替わる。
【００３１】
ユーザが下側プッシュ式キー１８を強押しするごとに、カラーＬＣＤ１１における入力文字位置を示すカーソル位置に「ん」→「わ」→「ら」→「や」→「ま」→「は」→「な」→「た」→「さ」→「か」→「あ」→・・・と、図４の五十音表のあ段を逆方向に入力文字が循環的に切り替わる。
【００３２】
入力モードが”半角英数”である場合の上側プッシュ式キー１６及び下側プッシュ式キー１８の操作に対応する処理について説明する。
【００３３】
ユーザが上側プッシュ式キー１６を弱押しするごとに、カラーＬＣＤ１１における入力文字位置を示すカーソル位置に「A」→「B」→「C」→「D」→「E」→「F」→「G」・・・→「8」→「9」→「A」→「B」→・・・と、図５の半角英数表の順方向に入力文字が循環的に切り替わる。
【００３４】
ユーザが上側プッシュ式キー１６を強押しするごとに、カラーＬＣＤ１１における入力文字位置を示すカーソル位置に「A」→「F」→「K」→「P」→「U」→「Z」→「a」・・・→「z」→「0」→「5」→「A」→「F」・・・と、図５の半角英数表の第１列の入力文字が順方向に循環的に切り替わる。
【００３５】
ユーザが下側プッシュ式キー１８を弱押しするごとに、カラーＬＣＤ１１における入力文字位置を示すカーソル位置に「9」→「8」→「7」→「6」→「5」→「4」→「3」・・・→「B」→「A」→「9」→・・・と、図５の半角英数表の逆方向に入力文字が循環的に切り替わる。
【００３６】
ユーザが下側プッシュ式キー１８を強押しするごとに、カラーＬＣＤ１１における入力文字位置を示すカーソル位置に「5」→「0」→「z」→「u」→「p」→「k」→「f」・・・→「F」→「A」→「5」→「0」→・・・と、図５の半角英数表の第１列の入力文字が逆方向に循環的に切り替わる。なお、この切り替わりは、図５の半角英数表の未割り当ての箇所（”−”と表示されている箇所）も番数に数えて、５番ずつ変化した順番となっている。
【００３７】
以上を踏まえ、例えば、「ふるさと」と入力する場合の手順について説明する。
【００３８】
Ｓ１：モード選択用プッシュ式キー２１を押して文字入力モードを"ひらがな"にする（カーソル位置に「あ」が表示される。）。
【００３９】
Ｓ２：下側プッシュ式キー１８の強押しを６回（「ん」→「わ」→「ら」→「や」→「ま」→「は」）、上側プッシュ式キー１６の弱押しを２回（「ひ」→「ふ」、行って、その後、右側プッシュ式キー１７を押して、カーソルを右へ１個、移動する。
【００４０】
Ｓ３：下側プッシュ式キー１８の強押しを３回（「ん」→「わ」→「ら」）、上側プッシュ式キー１６の弱押しを２回（「り」→「る」）、行って、その後、右側プッシュ式キー１７を押して、カーソルを右へ１個、移動する。
【００４１】
Ｓ４：上側プッシュ式キー１６の強押しを３回（「あ」→「か」→「さ」）、行い、その後、右側プッシュ式キー１７を押して、カーソルを右へ１個、移動する。
【００４２】
Ｓ５：上側プッシュ式キー１６の強押しを５回（「あ」→「か」→「さ」→「た」→「な」）、下側プッシュ式キー１８の弱押しを１回（「と」）、行って、その後、右側プッシュ式キー１７を押して、カーソルを右へ１個、移動する。
【００４３】
従来の入力方式では、ハードディスク内蔵型ポータブル音楽再生装置１０における上側プッシュ式キー１６及び下側プッシュ式キー１８の弱押しに相当する単一押しのみで、入力文字を表示させていかなければならないので、例えば、「ふるさと」について、モード選択用プッシュ式キー２１によりひらがな入力モードにしてから、押下操作が計６０回であったのに対し、この例では、計２０回と大幅に低減された。
【００４４】
図６は文字入力装置５５のブロック図である。文字入力装置５５は、文字入力操作部材５６、設定手段５７、操作態様判別手段５８及び入力文字表示手段５９を有している。分類切替用操作部材６１については図７の分類切替用操作部材７３と共に後述する。文字入力装置５５の一例はハードディスク内蔵型ポータブル音楽再生装置１０である。文字入力操作部材５６の一例は上側プッシュ式キー１６又は下側プッシュ式キー１８である。入力文字表示手段５９は例えばカラーＬＣＤ１１に入力文字を表示する。
【００４５】
操作態様判別手段５８は、文字入力操作部材５６に対してユーザが行なう２個以上の操作態様を判別する。設定手段５７は、所定分類内の全部の文字を網羅して順番に並べた第１の順番列と、第１の順番列において不連続の順番となっている文字を選抜した第２の順番列とを設定する。入力文字表示手段５９は、文字入力操作部材５６に対する第１の操作態様による操作では、１回の操作ごとに第１の順番列における文字をその順番に従い１個ずつ入力文字として表示し、文字入力操作部材５６に対する第２の操作態様による操作では、１回の操作ごとに第２の順番列における文字をその順番に従い１個ずつ入力文字として表示する。
【００４６】
なお、設定手段５７及び６９（後述の図７）における第２の順番列における文字は、第１の順番列において不連続の順番となっている文字を選抜してそれらを順番に並べ直したものであってもよいし、第１の順番列において順番を随時、ジャンプして、各ジャンプ先の文字とすることもできる。
【００４７】
所定分類、操作態様、第１及び第２の順番列、並びに不連続の順番の具体例については、後述の文字入力装置６５の説明の際に、文字入力装置６５のそれらと併せて説明する。
【００４８】
文字入力装置５５では、文字入力操作部材５６の操作に対して少なくとも２個の操作態様が用意される。ユーザは、第２の操作態様による操作を利用して、文字を適宜飛ばして、取得できるようになっているので、文字数が多くても、目的の入力文字へ短時間かつ能率的に到達することができる。
【００４９】
図７は別の文字入力装置６５のブロック図である。文字入力装置６５は、第１の文字入力用操作部材６６、第２の文字入力用操作部材６７、操作態様判別手段６８、設定手段６９及び入力文字表示手段７０を有している。確定用操作部材７２及び分類切替用操作部材７３については後述する。文字入力装置６５の一例はハードディスク内蔵型ポータブル音楽再生装置１０である。第１及び第２の文字入力用操作部材６６，６７の一例はそれぞれ上側プッシュ式キー１６及び下側プッシュ式キー１８である。入力文字表示手段７０は例えばカラーＬＣＤ１１に入力文字を表示する。
【００５０】
操作態様判別手段６８は、第１及び第２の文字入力用操作部材６６，６７のそれぞれに対してユーザが行なう２個以上の操作態様を判別する。設定手段６９は、所定分類内の全部の文字を網羅して順番に並べた第１の順番列と、第１の順番列において不連続の順番となっている文字を選抜した第２の順番列とを設定する。
【００５１】
入力文字表示手段７０は、第１の文字入力用操作部材６６に対する第１の操作態様による操作では、１回の操作ごとに第１の順番列における文字をそれらの順方向への順番に従い１個ずつ入力文字として表示し、第１の文字入力用操作部材６６に対する第２の操作態様による操作では、１回の操作ごとに第２の順番列における文字をそれらの順方向への順番に従い１個ずつ入力文字として表示する。入力文字表示手段７０は、また、第２の文字入力用操作部材６７に対する第１の操作態様による操作では、１回の操作ごとに第１の順番列における文字をそれらの逆方向の順番に従い１個ずつ入力文字として表示し、第１の文字入力用操作部材６６に対する第２の操作態様による操作では、１回の操作ごとに第２の順番列における文字をそれらの逆方向の順番に従い１個ずつ入力文字として表示する。
【００５２】
文字入力装置６５では、文字入力装置５５の場合と同様に、第１及び第２の文字入力用操作部材６６，６７の操作に対して少なくとも２個の操作態様が用意される。ユーザは、第１及び第２の文字入力用操作部材６６，６７に対する第２の操作態様による操作を利用して、文字を順方向及び逆方向へ飛ばして、選択できるようになっているので、文字数が多くても、所望の文字を短時間かつ能率的に入力することができる。
【００５３】
好ましくは、第１及び第２の文字入力用操作部材６６，６７は、入力文字を確定する確定用操作部材７２に対してそれぞれ対角線上に配設されている。確定用操作部材７２の一例は中央プッシュ式キー１４（図１）である。それぞれ順方向及び逆方向に係る第１及び第２の文字入力用操作部材６６，６７がそれぞれ確定用操作部材７２の対角線上に配設されることにより、操作部材の現実の配置が順方向及び逆方向についてのユーザの直感と調和し、操作ミスを抑制できる。
【００５４】
なお、図１の上側プッシュ式キー１６、下側プッシュ式キー１８及び中央プッシュ式キー１４は、それぞれ第１及び第２の文字入力用操作部材６６，６７並びに確定用操作部材７２の一例であるが、上側プッシュ式キー１６及び下側プッシュ式キー１８は、上下方向の対角線上の配列となっており、それぞれ中央プッシュ式キー１４の上側及び下側に配置されている。
【００５５】
所定分類は、例えば、文字入力モードに対応する分類であるが、言語（英語、日本語、中国語）に関する分類や、文字種に関する分類等のその他の分類を除外しない。文字入力モードとは、ハードディスク内蔵型ポータブル音楽再生装置１０のモード選択用プッシュ式キー２１に関連して説明したように、例えば”ひらがな”、”全角カタカナ”、”半角カタカナ”、”全角英数”及び”半角英数”である。好ましくは、文字入力装置５５は分類切替用操作部材６１を有し、文字入力装置６５は分類切替用操作部材７３を有している。分類切替用操作部材６１，７３は、ユーザが所定分類を切り替え操作する。
【００５６】
典型的には、操作態様とは、浅押しと深押しとの操作態様、弱圧と強圧との操作態様、又は大きいタッチ面積と小さいタッチ面積との操作態様である。浅押しと深押しとの操作態様は、文字入力操作部材５６，６６，６７の押下量により判別され、浅押し及び深押しは、それぞれ押下量の小及び大に対応する。弱圧と強圧との操作態様は、文字入力操作部材５６，６６，６７に対する操作圧に関係するものであり、文字入力操作部材５６，６６，６７の裏に圧電センサー等の圧力検出器を設けて、圧力により判別される。文字入力操作部材５６，６６，６７は、浅押しと深押しとに対して、典型的には、操作圧がそれぞれ小及び大に対応するが、操作圧がほぼ等しく維持されたまま、変位するのみの浅押しと深押しとがあってもよいとする。前述の弱押し及び強押しは、浅押しと深押しとに対応させたが、弱圧と強圧とに対応させてもよい。
【００５７】
文字入力装置６５においてそれぞれ第１及び第２の文字入力用操作部材６６，６７に割り当てた第１の順番列の順方向及び逆方向に対して、典型的には、ハードディスク内蔵型ポータブル音楽再生装置１０における「あ」→「い」→「う」→「え」→「お」→「か」→「き」・・・→「を」→「ん」→「あ」→「い」・・・及び「ん」→「を」→「わ」→「ろ」→「れ」→「る」→「り」・・・→「い」→「あ」→「ん」→「を」・・・に対応させる。しかし、文字入力装置５５における文字入力操作部材５６に割り当てる第１の順番列は、典型的には順方向のものとするが、逆方向のものにしてもよい。
【００５８】
第１の順番列において不連続の順番の文字とは、例えば、第１の順番列の少なくとも所定範囲では順番が所定数ずつ増加している文字である。前述のハードディスク内蔵型ポータブル音楽再生装置１０における「あ」→「か」→「さ」→「た」→「な」→「は」→「ま」→「や」→「ら」→「わ」→「ん」（図４の五十音表のあ段の文字）や、「A」→「F」→「K」→「P」→「U」→「Z」は、図４及び図５の表において文字を割り当てられていないセル（”−”と表示）も順番に入れて、第１の順番列において順番が５個ずつ飛んでいる例である。
【００５９】
不連続の順番は、第１の順番列において一律に設定する必要はない。ユーザが頻繁に使用する順番範囲では、不連続の刻みを細かくし、ユーザがあまり使用しない順番範囲では、不連続の刻みを荒くすることもできる。
【００６０】
文字入力装置５５，６５は、携帯型楽曲再生装置に装備される。携帯型楽曲再生装置には、例えばハードディスク型携帯型楽曲再生装置及びフラッシュメモリ型携帯型楽曲再生装置が含まれる。携帯型楽曲再生装置におけるハードディスク及びフラッシュメモリは適宜、取り外されて、交換自在になっている場合もある。
【００６１】
図８は文字入力方法７５のフローチャートである。文字入力方法７５は文字入力装置５５に対応している。文字入力方法７５において、第１及び第２の順番列とは、文字入力装置５５に関して定義したとおりである。
【００６２】
Ｓ７６では、文字入力操作部材５６に対するユーザ操作の有無を判定し、判定が正である場合には、Ｓ７７へ進み、否である場合には、文字入力方法７５を終了する。
【００６３】
Ｓ７７では、操作態様が第１及び第２の操作態様のどちらであるかを判定し、第１の操作態様と判定された場合には、Ｓ７８へ進み、第２の操作態様と判定された場合には、Ｓ７９へ進む。
【００６４】
Ｓ７８では、現在の入力文字に対して第１の順番列において次の順番にある文字を入力文字として表示する。
【００６５】
Ｓ７９では、現在の入力文字に対して第２の順番列において次の順番にある文字を入力文字として表示する。
【００６６】
なお、Ｓ７９等における「現在の入力文字に対して第２の順番列において次の順番にある文字」の具体例を以下に説明する。第１の順番列を複数個の区分に区分化し、各区分の代表文字（例：各区分の先頭文字）を順番に集めたものを第２の順番列にする。この場合には、「現在の入力文字に対して第２の順番列において次の順番にある文字」とは、現在の入力文字が属する区分の次の区分の代表文字が、次の順番にある文字となる。
【００６７】
例えば、図４の五十音表では、文字は母音のみの行及び子音が同一の行に区分化され、第２の順番列は、各区分の先頭文字（あ段の文字）を五十音順に並べたものから構成される。このような区分化の場合では、Ｓ７９では、図４の五十音表において、現在の入力文字が属する行区分の下の行区分における、あ段の文字が、次の順番にある文字となる。例えば、現在の入力文字が「あ」である場合には、次の順番にある文字は「か」である。
【００６８】
また、図５の半角英数表では、アルファベット順で５文字ずつが区分化され（ｚ−０間を除く。）、第２の順番列は、各区分の先頭文字（図５の表でａ段の文字）をアルファベット順に並べたものから構成される。このような区分化の場合では、図５の半角英数表において、Ｓ７９では、現在の入力文字が属する行区分の下の行区分におけるａ段の文字が、次の順番にある文字となる。
【００６９】
もちろん、区分化せず、第１の順番列において任意の順番だけ飛ばした文字を、第２の順番列において次の順番にある文字としてもよい。
【００７０】
図９は文字入力方法８５のフローチャートである。文字入力方法８５は文字入力装置６５に対応している。第１及び第２の順番列とは、文字入力装置６５において定義したとおりである。
【００７１】
Ｓ８６，Ｓ９３では、それぞれ第１及び第２の文字入力用操作部材６６，６７に対するユーザ操作の有無を判定する。両判定とも、否である場合には、文字入力方法８５を終了する。
【００７２】
第１の文字入力用操作部材６６に対するユーザ操作が有りの場合には、Ｓ８７において、操作態様が第１及び第２の操作態様のどちらであるかを判定する。
【００７３】
Ｓ８８では、すなわち、第１の文字入力用操作部材６６への第１の操作態様による操作に対しては、現在の入力文字に対して第１の順番列において順方向へ次の順番にある文字を入力文字として表示する。
【００７４】
Ｓ８９では、すなわち、第１の文字入力用操作部材６６への第２の操作態様による操作に対しては、現在の入力文字に対して第２の順番列において順方向へ次の順番にある文字を入力文字として表示する。
【００７５】
Ｓ９５では、すなわち、第２の文字入力用操作部材６７への第１の操作態様による操作に対しては、現在の入力文字に対して第１の順番列において逆方向へ次の順番にある文字を入力文字として表示する。
【００７６】
Ｓ９６では、すなわち、第２の文字入力用操作部材６７への第２の操作態様による操作に対しては、現在の入力文字に対して第２の順番列において逆方向へ次の順番にある文字を入力文字として表示する。
【００７７】
Ｓ７６（図７）及びＳ８６（図８）の前に、現在の所定分類が何か（該所定分類を入力モードに係る分類とするならば、例えば”ひらがな”、”全角カタカナ”、”半角カタカナ”、”全角英数”又は”半角英数”の入力モード）を検出するステップを設け、Ｓ７８，Ｓ７９，Ｓ８８，Ｓ８９，Ｓ９５，Ｓ９６における順番列は、検出された現在の所定分類に係る順番列に基づき処理するようになっていることが好ましい。
【００７８】
本発明を適用したプログラムは、文字入力方法７５又は８５の各ステップをコンピュータに実行させる。
【００７９】
本発明を最良の形態について説明したが、本発明は、これに限定されず、要旨の範囲内で種々の形態により実施可能であることは言うまでもない。
【図面の簡単な説明】
【００８０】
【図１】ハードディスク内蔵型ポータブル音楽再生装置の前面図である。
【図２】図１のハードディスク内蔵型ポータブル音楽再生装置の概略構成図である。
【図３】二重プッシュ式キー及びそのスイッチング状態判別回路の電気回路図である。
【図４】ハードディスク内蔵型ポータブル音楽再生装置における文字入力に適用される五十音表の一例である。
【図５】ハードディスク内蔵型ポータブル音楽再生装置における文字入力に適用される半角英数表の一例である。
【図６】文字入力装置のブロック図である。
【図７】別の文字入力装置のブロック図である。
【図８】文字入力方法のフローチャートである。
【図９】別の文字入力方法のフローチャートである。
【符号の説明】
【００８１】
５５：文字入力装置、５６：文字入力操作部材、５７：設定手段、５８：操作態様判別手段、５９：入力文字表示手段、６１：分類切替用操作部材、６５：文字入力装置、６６：第１の文字入力用操作部材、６７：第２の文字入力用操作部材、６８：操作態様判別手段、６９：設定手段、７０：入力文字表示手段、７２：確定用操作部材、７３：分類切替用操作部材、７５：文字入力方法、８５：文字入力方法。
【図１】
2007080140.tif 000003
【図２】
2007080140.tif 000004
【図３】
2007080140.tif 000005
【図４】
2007080140.tif 000006
【図５】
2007080140.tif 000007
【図６】
2007080140.tif 000008
【図７】
2007080140.tif 000009
【図８】
2007080140.tif 000010
【図９】
2007080140.tif 000011